(57)【要約】【課題】多面体型スピーカの伝達関数に基づいてイコライジングすることで、比較的容易な回路構成もしくは演算で多面体型スピーカの音声出力の等化を良好に行うことが可能なイコライザ装置を提供する。【解決手段】イコライザ装置５０は、多面体型スピーカ１２の最低共振周波数ｆ０とＱ値（Ｑ０）及び多面体型スピーカ１２の仮想円周とから、簡略化した多面体型スピーカ１２のモデル伝達関数を作成する。イコライザ部３０は、このモデル伝達関数の逆フィルタの伝達関数に基づいてイコライジングを行う。このため回路規模もしくは演算量を減らすことができる。【選択図】図１
2011061403.tif 000002
【特許請求の範囲】
【請求項１】
音源からの音声信号が入力される入力端と、
前記入力端に入力された音声信号を所定の伝達関数に基づいてイコライジングするイコライザ部と、
前記イコライザ部でイコライジングした音声信号を多面体型スピーカに出力する出力端と、
を有し、
前記伝達関数が第１の伝達関数の逆フィルタの伝達関数と第２の伝達関数の逆フィルタの伝達関数との積を含み、
前記第１の伝達関数は、遮断周波数が前記多面体型スピーカの最低共振周波数と略同等であり、遮断周波数でのＱ値が前記多面体型スピーカの最低共振周波数でのＱ値と略同等である２次のハイパスフィルタの伝達関数であり、
前記第２の伝達関数は、遮断周波数が前記多面体型スピーカの仮想円周と同等の波長を有する音波の周波数と略同等である１次のローパスフィルタの伝達係数であることを特徴とするイコライザ装置。
【請求項２】
前記多面体型スピーカの前記仮想円周は、前記多面体型スピーカの外側に接する球の円周と内側に接する球の円周、もしくは前記多面体型スピーカの体積と等しい体積を有する球の円周に基づいて取得することを特徴とする請求項１記載のイコライザ装置。
【請求項３】
前記伝達関数が、前記第１の伝達関数の逆フィルタの伝達関数と前記第２の伝達関数の逆フィルタの伝達関数との積に、高次のハイパスフィルタの伝達関数と１次又は高次のローパスフィルタの伝達関数の双方もしくはいずれか一方を乗じたものであることを特徴とする請求項１又は請求項２記載のイコライザ装置。
【請求項４】
請求項１〜３のいずれか１項に記載のイコライザ装置と、
前記イコライザ装置から出力される音声信号を再生する多面体型スピーカと、
を備えることを特徴とする電気音響変換装置。
【発明の詳細な説明】
【技術分野】
【０００１】
本発明は、スピーカを多面体状に配設した多面体型スピーカの音声出力を等化するイコライザ装置、同イコライザ装置を備えた電気音響変換装置に関するものである。
【背景技術】
【０００２】
電気信号を音声として出力するスピーカの一つとして、スピーカを外側に向けて多面体状に配設した多面体型スピーカが存在する。この多面体型スピーカとは［特許文献１］に示すように例えば正５角形の振動板を正１２面体となるように設置し（ただし、１面は台座とする。）、それぞれの振動板にスピーカユニットを設置したものである。このように、多面体型スピーカは全方向にスピーカが配設されているためその音声出力は点音源、無指向性となり、理想的には全ての方向に同じ音圧の音声を出力することができる。ただし、多面体型スピーカは一般的に周波数特性が平坦ではないため、例えば［特許文献２］では、音源と多面体型スピーカとの間にイコライザ回路を設けて、多面体型スピーカからの音声出力を平坦化（等化）している。
【先行技術文献】
【特許文献】
【０００３】
【特許文献１】特開２００６−３１１３４９号公報
【特許文献２】特開２００５−０５１６９４号公報
【発明の概要】
【発明が解決しようとする課題】
【０００４】
［特許文献２］の発明に記載されているイコライザ回路は、音声信号を比較的狭い周波数帯域に分割し、その周波数帯域毎に所定量ブースト又はカットして所望の値に近似させそれを積み重ねることで、全体として多面体型スピーカの周波数特性を補完して音声出力の等化を行う。しかしながら、多面体型スピーカの伝達関数の構成と一般的なイコライザ回路の伝達関数の構成とは大きく異なっており、その異なったイコライザ回路の伝達関数により多面体型スピーカの音声出力の等化を十分に行うためには、より狭い周波数帯で多くの周波数帯域に分割する必要がある。このため、アナログ回路の場合には回路規模が大きくなるという問題点がある。また、デジタル処理の場合には演算量が多くなるという問題点がある。さらに、等化後の位相特性の誤差が大きいという問題点がある。
【０００５】
本発明は上記事情に鑑みてなされたものであり、比較的容易な回路構成もしくは演算で多面体型スピーカの音声出力の等化を良好に行うことが可能なイコライザ装置及び電気音響変換装置を提供することを目的とする。
【課題を解決するための手段】
【０００６】
本発明は、
（１）音源１０からの音声信号Ｖｉｎが入力される入力端２０ａと、前記入力端２０ａに入力された音声信号Ｖｉｎを所定の伝達関数に基づいてイコライジングするイコライザ部３０と、前記イコライザ部３０でイコライジングした音声信号Ｖｏｕｔを多面体型スピーカ１２に出力する出力端２０ｂと、を有し、
前記伝達関数が第１の伝達関数の逆フィルタの伝達関数と第２の伝達関数の逆フィルタの伝達関数との積を含み、
前記第１の伝達関数は、遮断周波数が前記多面体型スピーカ１２の最低共振周波数ｆ０と略同等であり、遮断周波数でのＱ値が前記多面体型スピーカ１２の最低共振周波数ｆ０でのＱ値（Ｑ０）と略同等である２次のハイパスフィルタの伝達関数であり、
前記第２の伝達関数は、遮断周波数ｆｃが前記多面体型スピーカ１２の仮想円周と同等の波長を有する音波の周波数と略同等である１次のローパスフィルタの伝達係数であることを特徴とするイコライザ装置５０を提供することにより、上記課題を解決する。
（２）前記多面体型スピーカ１２の前記仮想円周は、前記多面体型スピーカ１２の外側に接する球の円周と内側に接する球の円周、もしくは前記多面体型スピーカ１２の体積と等しい体積を有する球の円周に基づいて取得することを特徴とする上記（１）記載のイコライザ装置５０を提供することにより、上記課題を解決する。
（３）前記伝達関数が、前記第１の伝達関数の逆フィルタの伝達関数と前記第２の伝達関数の逆フィルタの伝達関数との積に、高次のハイパスフィルタの伝達関数と１次又は高次のローパスフィルタの伝達関数の双方もしくはいずれか一方を乗じたものであることを特徴とする上記（１）又は（２）記載のイコライザ装置５０を提供することにより、上記課題を解決する。
（４）上記（１）〜（３）のいずれか１項に記載のイコライザ装置５０と、前記イコライザ装置５０から出力される音声信号Ｖｏｕｔを再生する多面体型スピーカ１２と、を備えることを特徴とする電気音響変換装置１００を提供することにより、上記課題を解決する。
【発明の効果】
【０００７】
本発明のイコライザ装置及び電気音響変換装置は、実際の多面体型スピーカの伝達関数をモデル化し、そのモデル化した伝達関数の逆フィルタの伝達関数に基づいてイコライジングするため、比較的容易な回路構成もしくは演算で多面体型スピーカの音声出力の等化を振幅、位相とも、より正確に行うことができる。
【図面の簡単な説明】
【０００８】
【図１】本発明に係るイコライザ装置及び電気音響変換装置を示すブロック図である。
【図２】多面体型スピーカの伝達関数を説明する周波数特性図である。
【図３】多面体型スピーカの実測した周波数特性と算出した伝達関数による周波数特性とを比較する図である。
【図４】本発明に係るイコライザ装置の伝達関数を説明する周波数特性図である。
【図５】本発明に係るイコライザ装置の伝達関数を示す周波数特性図である。
【図６】本発明に係るイコライザ部のアナログ回路の例を示す図である。
【図７】本発明に係るイコライザ部のデジタル処理の構成例を示す図である。
【図８】本発明により等化された音声出力を示す周波数特性図である。
【発明を実施するための形態】
【０００９】
本発明に係るイコライザ装置及び電気音響変換装置の実施の形態について図面に基づいて説明する。図１に示す本実施の形態に係るイコライザ装置５０は、音源１０側からの音声信号Ｖｉｎが入力する入力端２０ａと、入力端２０ａから入力した音声信号Ｖｉｎを所定の伝達関数でイコライジングするイコライザ部３０と、イコライザ部３０でイコライジングした音声信号Ｖｏｕｔを多面体型スピーカ１２側に例えばアンプ１４を介して出力する出力端２０ｂと、を有している。また、本実施形態に係わる電気音響変換装置１００は、イコライザ装置５０と多面体型スピーカ１２を有している。
【００１０】
ここでの多面体型スピーカ１２は、スピーカが多面体状に配設されていれば正１２面体に限らず如何なる多面体でも構わない。また、スピーカが多面体状に配設されていれば、外形に特に制限はない。さらに、理想的な多面体型スピーカ１２は球形であるため、ここでは球形スピーカも多面体型スピーカ１２に含むものとする。
【００１１】
次に、イコライザ部３０の伝達関数の基となる多面体型スピーカ１２の伝達関数に関して説明を行う。先ず、多面体型スピーカ１２には、一般的なスピーカと同様、振動系支持機構のばね定数、内部空気のばね定数、振動系質量などで決定する最低共振周波数ｆ０が存在する。そして、多面体型スピーカ１２におけるスピーカ駆動電圧（音声信号）から振動系加速度（音声出力）への伝達関数は、一般的なスピーカと同様、遮断周波数と当該遮断周波数におけるＱ値が、多面体型スピーカ１２の最低共振周波数ｆ０と当該最低共振周波数ｆ０におけるＱ値（Ｑ０）とそれぞれ同等の２次のハイパスフィルタの伝達関数（第１の伝達関数）とほぼ等しくなる。尚、２次のハイパスフィルタの遮断周波数と遮断周波数ｆ０におけるＱ値（Ｑ０）とが決定すればこの２次のハイパスフィルタのＱ値の周波数曲線（ピークの値、ピークの周波数、ピークの鋭さ等）も概ね決定する。
【００１２】
一方、多面体型スピーカ１２の理想型は呼吸球であり、呼吸球ではその表面を入力信号（音声信号）に比例した加速度で駆動したときの音圧（音声出力）の伝達関数が、呼吸球の円周に応じた遮断周波数ｆｃの１次のローパスフィルタの伝達関数とほぼ等しくなる。ここで、この１次のローパスフィルタの遮断周波数ｆｃは、呼吸球の半径をｒとした時に呼吸球の円周（２πｒ）と波長が一致する音波の周波数とほぼ同等となる。従って、遮断周波数ｆｃは、ｃを音速とした時に
ｆｃ＝ｃ／（２πｒ）    となる。
【００１３】
尚、多面体型スピーカ１２は多面体であり理想的な呼吸球ではないから、正確な円周を求めることはできない。従って、実際の多面体型スピーカ１２では、上記の遮断周波数ｆｃを導くための円周の値（これを仮想円周（２πｒ’）とする）を以下のようにして取得することが好ましい。先ず、仮想円周の第一の取得方法は、多面体型スピーカ１２の外側に接する球の円周と内側に接する球の円周を求めその中間値を仮想円周とする方法である。また、仮想円周の第二の取得方法は、多面体型スピーカ１２の体積と等しい体積を有する球を求めその球の円周を仮想円周とする方法である。これら仮想円周の取得方法を比較した場合、第二の取得方法の方が呼吸球の円周により近い仮想円周を得ることができる。
【００１４】
上記のように多面体型スピーカ１２は、一般的なスピーカとしての第１の伝達関数と、呼吸球としての仮想円周に応じた遮断周波数ｆｃ（ｆｃ＝ｃ／（２πｒ’））の１次のローパスフィルタの伝達関数（第２の伝達関数）との２つの伝達関数を備えている。従って、多面体型スピーカ１２の伝達関数は、第１の伝達関数と第２の伝達関数との積に近いものとなる。
【００１５】
ここで、一辺が約３７ｍｍの正５角形の振動板を有するスピーカユニットで構成された正１２面体（１面は台座）の多面体型スピーカ１２を用意し、その最低共振周波数ｆ０とそのときのＱ値（Ｑ０）を測定した。その結果、最低共振周波数ｆ０＝６４０Ｈｚ、Ｑ０＝３．６であった。
【００１６】
また、この多面体型スピーカ１２の体積と同等な球の直径を算出し、仮想円周を算出したところ２９７ｍｍとなった。ここで、音速を３４０ｍ／ｓとし、１次のローパスフィルタの遮断周波数ｆｃを、
ｆｃ＝３４０／（２９７×１０−３）≒１１４５（Ｈｚ）とした。
【００１７】
ここで、遮断周波数がｆ０が６４０ＨｚでＱ０が３．６の２次のハイパスフィルタの周波数特性図を図２（ａ）に示す。また、遮断周波数ｆｃが１１４５Ｈｚの１次のローパスフィルタの周波数特性図を図２（ｂ）に示す。
【００１８】
次に、図２（ａ）に示した２次のハイパスフィルタの伝達関数（第１の伝達関数）と図２（ｂ）に示した１次のローパスフィルタの伝達関数（第２の伝達関数）とを求めそれらの積を算出した。ここで、算出した伝達関数による周波数特性図と実測した多面体型スピーカ１２の周波数特性図とを図３に示す。尚、図３中、実線Ａが算出した伝達関数による周波数特性を示し、実線Ｂ１、Ｂ２が実測（２回測定）した多面体型スピーカ１２の周波数特性である。また、実線Ａのうち領域ａが主に第１の伝達関数（図２（ａ））が大きく関与する領域であり、領域ｂが主に第２の伝達関数（図２（ｂ））が大きく関与する領域である。
【００１９】
図３より、実測した多面体型スピーカ１２の周波数特性と算出した伝達関数による周波数特性とはほぼ一致していることが分かる。このことから、第１の伝達関数と第２の伝達関数の積は、多面体型スピーカ１２の伝達関数とほぼ同等となることが分かる。つまり、多面体型スピーカ１２の最低共振周波数ｆ０とそのときのＱ値（Ｑ０）、及び多面体型スピーカ１２の仮想円周の値が取得できれば、多面体型スピーカ１２の伝達関数とほぼ同等の伝達関数（以後、モデル伝達関数と記述）を算出することが可能となる。
【００２０】
尚、実際のモデル伝達関数の設定では、最低共振周波数ｆ０、Ｑ０、仮想円周の値から仮のモデル伝達関数を作成する。そして、この仮のモデル伝達関数による周波数特性と実測した実際の多面体型スピーカ１２の周波数特性とを比較しながらｆ０、Ｑ０、仮想円周の値を約±２０％程度の範囲で変化させて、伝達係数の合わせ込みを行い最終的なモデル伝達関数とする。この場合でも基本となる２次のハイパスフィルタと１次のローパスフィルタは固定であり、パラメータはｆ０、Ｑ０、仮想円周の値の３つであるから、多面体型スピーカ１２のモデル伝達関数を容易且つ迅速に求めることができる。
【００２１】
イコライザ部３０は、上記のようにして求められたモデル伝達関数の逆フィルタの伝達関数をとるようなアナログ回路もしくはデジタルフィルタを用いことができる。尚、モデル伝達関数の逆フィルタの伝達関数は、第１の伝達関数の逆フィルタの伝達関数と第２の伝達関数の逆フィルタの伝達関数との積と同等である。ここで、図３に示したモデル伝達関数の逆フィルタの周波数特性図を図４（ａ）に示す。
【００２２】
図４（ａ）に示すようにモデル伝達関数の逆フィルタの周波数特性は、通常、低周波側と高周波側とが無限に上昇する。従って、イコライザ部３０には多面体型スピーカ１２側への過大な音声信号の印加防止と音質の調整のため、音声出力の再生周波数帯域以外の低周波成分と高周波成分とを減衰させる高次のハイパスフィルタと１次又は高次のローパスフィルタとを組み入れることが好ましい。この場合、イコライザ部３０全体としての伝達関数は、第１の伝達関数の逆フィルタの伝達関数と第２の伝達関数の逆フィルタの伝達関数との積に、高次のハイパスフィルタの伝達関数と１次又は高次のローパスフィルタの伝達関数とを乗じたものとなる。
【００２３】
ここで例えば、イコライザ部３０に、図４（ｂ）に示す周波数特性の１次のローパスフィルタと図４（ｃ）に示す周波数特性の３次のハイパスフィルタを組み入れれば、これらのフィルタが組み入れられたイコライザ部３０の周波数特性は図５のようになる。そして、イコライザ部３０の伝達関数は、第１の伝達関数の逆フィルタの伝達関数と第２の伝達関数の逆フィルタの伝達関数との積に、３次のハイパスフィルタの伝達関数と１次のローパスフィルタの伝達関数とを乗じたものとなる。尚、図５の領域ａ’が主に第１の伝達関数の逆フィルタの伝達関数が大きく関与する領域であり、領域ｂ’が主に第２の伝達関数の逆フィルタの伝達関数が大きく関与する領域であり、領域ｃが主に３次のハイパスフィルタの伝達関数が大きく関与する領域であり、領域ｄが主に１次のローパスフィルタの伝達関数が大きく関与する領域である。
【００２４】
尚、モデル伝達関数や回路構成により低周波成分もしくは高周波成分の減衰が不要な場合には、高次のハイパスフィルタもしくは１次又は高次のローパスフィルタのいずれか一方を組み入れれば良い。この場合、イコライザ部３０全体の伝達関数は、第１の伝達関数の逆フィルタの伝達関数と第２の伝達関数の逆フィルタの伝達関数との積に、組み入れた高次のハイパスフィルタの伝達関数もしくは１次又は高次のローパスフィルタの伝達関数を乗じたものとなる。
【００２５】
また、モデル伝達関数を多面体型スピーカ１２の伝達関数により近似させるために、イコライザ部３０に双２次型フィルタをさらに組み入れても良い。この場合、イコライザ部３０全体の伝達関数は、組み入れた双２次型フィルタの双２次型伝達関数をさらに乗じたものとなる。
【００２６】
ここで、図５の周波数特性を有するイコライザ部３０を、アナログ回路で構成した例を図６に示す。尚、イコライザ部３０はモデル伝達関数の逆フィルタの伝達関数に基づいてイコライジングすればよいから、第１の伝達関数の逆フィルタ、第２の伝達関数の逆フィルタ、その他のフィルタが明確に区別されたイコライザでなくてもよい。
【００２７】
図６に示すイコライザ部３０は、部分的に重複しながら大きく分けて３つの回路で構成されている。回路３０ｂは低周波成分を減衰させる３次のハイパスフィルタの一部である１次のハイパスフィルタを主に構成している。回路３０ａは双２次のシェルビングイコライザであり、３次のハイパスフィルタの一部である２次のハイパスフィルタと第１の伝達関数の逆フィルタとを主に構成している。回路３０ｃは１次のシェルビングイコライザであり、第２の伝達関数の逆フィルタと高周波成分を減衰させる１次のローパスフィルタとを主に構成している。図６に示すように、本実施の形態に係るイコライザ装置５０によれば、イコライザ部３０を比較的容易なアナログ回路で構成することができる。
【００２８】
次に、図７にイコライザ部３０をデジタルフィルタで構成した例を示す。図７に示すイコライザ部３０はバイクワッドフィルタ（Biquad  Filter）としてのデジタルフィルタ３２ａ、３２ｂが２段縦続して構成されている。尚、図７中、Ｚ−１は遅延器、ａ１０、ａ１１、ａ１２、ａ２０、ａ２１、ａ２２、ｂ１１、ｂ１２、ｂ２１、ｂ２２は乗算器、“＋”は加算器を示す。
【００２９】
デジタルフィルタ３２ａ、３２ｂの遅延器、乗算器、加算器は、現在及び過去の入力値と過去の出力値に各乗算器に設定された係数を乗じてそれぞれ加算することを繰り返し、各々が双２次の伝達関数を有するフィルタとしての動作を行う。そして、例えばデジタルフィルタ３２ａの乗算器の係数を図７に示すようにすれば、デジタルフィルタ３２ａは図６中の回路３０ａと同様の伝達関数を備え回路３０ａと同様に機能する。また、デジタルフィルタ３２ｂの乗算器の係数を図７に示すようにすれば、デジタルフィルタ３２ｂは図６中の回路３０ｂ及び回路３０ｃとが合わさった伝達関数を備え回路３０ｂ及び回路３０ｃと同様に機能する。これにより、イコライザ部３０は図５と同様の周波数特性を示す伝達関数を有する。
【００３０】
図７に示すように、本実施の形態に係るイコライザ装置５０によれば、イコライザ部３０を比較的容易な演算処理のデジタルフィルタで構成することができる。尚、各乗算器の係数はイコライザ部３０に要求される伝達係数に対し、双一次変換を行うことにより容易に求めることができる。また、上記のデジタルフィルタ３２ａ、３２ｂの構成は一例であり、さらにイコライザ部３０の伝達関数を２つの双２次の伝達関数に分割する手法及び組み合わせに関しても特に限定はない。
【００３１】
次に、本実施の形態に係るイコライザ装置５０の動作を説明する。先ず、音源１０側からの音声信号Ｖｉｎが入力端２０ａからイコライザ部３０に入力する。イコライザ部３０は入力した音声信号Ｖｉｎに対しイコライジングを施す。このときのイコライジングは、前述のようにして求められた多面体型スピーカ１２の逆フィルタの伝達関数と略同等の伝達関数を含む伝達関数により行われる。よって、イコライザ部３０の出力端２０ｂから出力する音声信号Ｖｏｕｔは例えば図５に示すようにイコライジングされる。出力した音声信号Ｖｏｕｔはアンプ１４で増幅され、多面体型スピーカ１２に出力される。そして、多面体型スピーカ１２は音声信号Ｖｏｕｔを音声として出力する。このとき、多面体型スピーカ１２はイコライザ部３０の伝達関数とほぼ逆の図３に相当する周波数特性（伝達関数）を有している。従って、多面体型スピーカ１２のほぼ逆の伝達関数でイコライジングされた音声信号Ｖｏｕｔ（図５）が多面体型スピーカ１２で出力されると、その音声出力は相互に補完、補償され結果として図８に示すように等化された平坦な音声出力となる。
【００３２】
以上のように、本実施の形態に係るイコライザ装置５０は、多面体型スピーカ１２の最低共振周波数ｆ０と当該最低共振周波数ｆ０におけるＱ値（Ｑ０）及び多面体型スピーカ１２の仮想円周とから、簡略化した多面体型スピーカ１２のモデル伝達関数の逆フィルタの伝達関数に基づいてイコライジングする。このため周波数帯域を分割してイコライジングを行う従来のイコライザ装置と比較して回路規模もしくは演算量を減らすことができる。
【００３３】
また、本実施の形態に係るイコライザ装置５０は、多面体型スピーカ１２の伝達関数に基づいてイコライジングするため、多面体型スピーカ１２の音声出力の等化をより正確に行うことができる。さらに、音声出力の位相特性に大きな誤差が生じることもない。
【００３４】
尚、上記のイコライザ装置５０は一例であるから、アナログ回路の構成、デジタル回路の構成は無論のこと、本発明は本発明の要旨を逸脱しない範囲で変更して実施することが可能である。
【符号の説明】
【００３５】
１０    音源
１２    多面体型スピーカ
２０ａ  入力端
２０ｂ  出力端
３０    イコライザ部
５０    イコライザ装置
１００  電気音響変換装置
Ｖｉｎ  音声信号（入力）
Ｖｏｕｔ  音声信号（出力）
【図１】
2011061403.tif 000003
【図２】
2011061403.tif 000004
【図３】
2011061403.tif 000005
【図４】
2011061403.tif 000006
【図５】
2011061403.tif 000007
【図６】
2011061403.tif 000008
【図７】
2011061403.tif 000009
【図８】
2011061403.tif 000010